(57)【要約】【課題】防護柵用支柱を土中に埋設する際に、騒音を略発生しないように埋設することができる構造を備えた防護柵用支柱及び防護柵を提供する。【解決手段】円筒体からなる支柱本体１１の下端部が切欠かれて、該支柱本体１１の下方に突出された複数の刃部１２が周方向に互いに間隔をあけて形成され、前記刃部１２は、左右の幅を画定する一方の側端に形成された円筒体の軸方向に延設された非傾斜側端部１４と、他方の側端に形成された前記非傾斜側端部１４に向けて先細りに傾斜する傾斜側端部１５とをさせるようにする。この様にすれば、上記課題を解決できるとともに、円筒体の支柱本体１１の下端部を切欠くだけで、容易に当該防護柵支柱１を製作することができる。【選択図】        図１
2015163757.tif 000002
【特許請求の範囲】
【請求項１】
円筒体からなる支柱本体の下端部が切欠かれて、該支柱本体の下方に突出された複数の刃部が周方向に互いに間隔をあけて形成されていることを特徴とする防護柵用支柱。
【請求項２】
前記刃部は、左右の幅を画定する一方の側端に形成された円筒体の軸方向に延設された非傾斜側端部と、他方の側端に形成された前記非傾斜側端部に向けて先細りに傾斜する傾斜側端部とを備えていることを特徴とする請求項１に記載の防護柵用支柱。
【請求項３】
請求項１又は２に記載の防護柵用支柱を用い、その防護柵用支柱の支柱本体に柵部材が取付けられてなることを特徴とする防護柵。
【発明の詳細な説明】
【技術分野】
【０００１】
本発明は、道路等に設置される防護柵に用いられる防護柵用支柱及び防護柵に関するものである。
【背景技術】
【０００２】
従来、道路等に設置される防護柵用支柱としては、例えば特許文献１〜３には、移動可能な車両に水平旋回自在に搭載される埋設機基部と、この埋設機基部の上に起伏自在に設けられるガイド装置と、このガイド装置により昇降移動自在な回転駆動装置及び打撃力発生装置を備えている支柱埋設装置により、土中にその一部を埋設される支柱が開示されており、防護柵用支柱のような小径の支柱を連続して埋設していくに際し、埋設時の騒音を抑えることができ、また硬質地盤への埋設も対応可能となるようである（特許文献１〜３）。
【先行技術文献】
【特許文献】
【０００３】
【特許文献１】特開２００３−１５５７４５号公報
【特許文献２】特開２００４−２３８８８３号公報
【特許文献３】特開２００６−１８８８５５号公報
【発明の概要】
【発明が解決しようとする課題】
【０００４】
しかしながら、上記防護柵用支柱においては、防護柵用支柱を回転駆動装置により埋設するのに加え、打撃力発生装置を用いることになるため、防護柵用支柱を打撃力により埋設する際には、やはり前記打撃力による騒音が発生することは否めず、更なる改良が望まれるものであった。
【０００５】
本発明は、防護柵用支柱を土中に埋設する際に、騒音の発生を低減させて埋設することができる構造を備えた防護柵用支柱及び防護柵を提供せんとするものである。
【課題を解決するための手段】
【０００６】
上記目的を達成するために、本発明は次のような構成としている。
すなわち、本発明に係る防護柵用支柱は、円筒体からなる支柱本体の下端部が切欠かれて、該支柱本体の下方に突出された複数の刃部が周方向に互いに間隔をあけて形成されていることを特徴とするものである。
【０００７】
また本発明に係る防護柵柵用支柱は、前記刃部は、左右の幅を画定する一方の側端に形成された円筒体の軸方向に延設された非傾斜側端部と、他方の側端に形成された前記非傾斜側端部に向けて先細りに傾斜する傾斜側端部とを備えていることを特徴とするものである。
【０００８】
また本発明に係る防護柵は、上記発明に記載の防護柵用支柱を用い、その防護柵用支柱の支柱本体に柵部材が取付けられてなることを特徴とするものである。
【発明の効果】
【０００９】
本発明に係る防護柵用支柱によれば、円筒体からなる支柱本体の下端部を切欠き、該支柱本体の下方に突出した複数の刃部を周方向に互いに間隔をあけて形成しているため、支柱本体の下端より下方に突出した刃部を設置場所に差し込み、支柱本体を設置場所の土砂を掘削しながら回転埋設させることにより、騒音の発生を効果的に低減させて埋設することができるとともに、円筒体の支柱本体の下端部を切欠くだけで、刃部を備えた防護柵支柱を容易に製作することができる。
【００１０】
また本発明に係る防護柵用支柱によれば、前記刃部に、左右の幅を画定する一方の側端に形成された円筒体の軸方向に延設された非傾斜側端部と、他方の側端に形成された前記非傾斜側端部に向けて先細りに傾斜する傾斜側端部とを備えさせているため、前記刃部を設置場所に差し込みむ際、設置場所に刃部が差し込みしやすく、好ましい。
【００１１】
また本発明に係る防護柵によれば、上記発明に記載の防護柵用支柱を用い、その防護柵用支柱の支柱本体に柵部材が取付けられているので、防護柵の施工の際の騒音を低減することができ、好ましい。
【図面の簡単な説明】
【００１２】
【図１】本発明に係る防護柵用支柱の実施の一形態を示す、（イ）は正面図、（ロ）は左側面図、（ハ）は底面図、（ニ）は平面図である。
【図２】図１（イ）、（ハ）の防護柵用支柱下部の拡大図である。
【図３】図１に示す防護柵用支柱を用いて形成されている防護柵の実施の一形態を示す、（イ）は正面図、（ロ）は側面図、（ハ）は平面図である。
【図４】図４（イ）、（ロ）の部分省略の拡大図である。
【図５】本発明に係る防護柵用支柱の実施の別の形態を示す要部拡大の正面図である。
【図６】本発明に係る防護柵用支柱の実施の別の形態を示す要部拡大の正面図である。
【図７】本発明に係る防護柵用支柱の実施の別の形態を示す要部拡大の正面図である。
【発明を実施するための形態】
【００１３】
次に、本発明を実施するための形態について図面を参照し、具体的に説明する。
図面において、１は本発明に係る防護柵用支柱、２は地面に適宜間隔を開けて立設された防護柵用支柱１間に架設された柵部材である横ビーム、３は横ビーム２を防護柵用支柱１に支持するためのビーム支持具であり、防護柵Ｐは、本発明に係る防護柵用支柱１を用い、その防護柵用支柱１の支柱本体１１に柵部材である横ビーム２が取付けられて形成されたものである。
【００１４】
防護柵用支柱１は、円筒体からなる支柱本体１１の下端部が後述する刃部１２を残す様にして切欠かれて、前記支柱本体１１の下方に突出された４個の刃部１２が周方向に略９０°の等間隔をあけて形成され、前記支柱本体１の上端には開口を塞ぐ支柱キャップ１３が取付けられて、前記防護柵用支柱１間に横ビーム２が架設されている。
【００１５】
本実施形態において、前記支柱本体１１は、直径１１４．３ｍｍ、厚さ４．５ｍｍの鋼管であり、横ビーム２は、直径４８．６ｍｍ、厚さ３．２ｍｍの鋼管であり、いずれも防蝕性下地処理に耐候性塗装仕上げがなされたものである。横ビーム２の地上高さは６００ｍｍを中央として上下それぞれ１５０ｍｍの高さ位置に３段取付けられている。そして、前記支柱本体１１の下端より上方に至る側壁１１１の上部には、前記横ビーム２を取付けるための後述する貫通ボルトＢを挿通するための貫通孔１１２が上下方向に３段に設けられている。なお上記の支柱本体１１及び横ビーム２の直径や厚さについては、これに限定されるものではなく、適宜用いればよい。
【００１６】
前記刃部１２は、左右の幅を画定する一方の側端に形成された円筒体の軸方向に延設された非傾斜側端部１４と、他方の側端に形成された前記非傾斜側端部１４に向けて先細りに傾斜する傾斜側端部１５とを備えている。そして、本実施形態において、前記刃部１２は直角正三角形状に形成されているが、特にこの形状に限定されるものではなく、図５に示す様に、前記支柱本体の下端部を切欠いて、前記直角正三角形状の刃部１２の付け根に両側端部を平行となした延設部１６を形成して、全体として台形状の刃部１２としてもよいし、本実施形態よりも突出距離の小さい直角正三角形状の刃部１２を形成してもよい。要は、前記支柱本体１１の下端部が、刃部１２となる部分を残して、プレスやレーザービーム等の適宜手段で切欠かれて、支柱本体１１の下方に、別体ではなく同体で突出された複数の刃部１２が周方向に互いに間隔をあけて形成されていればよい。
【００１７】
そして前記刃部１２の形状は、図６、図７に示す様なＵ字形や矩形等であってもよく、更にはそれらを組み合わせて、直角正三角形状の刃部１２とＵ字形の刃部１２と矩形の刃部１２の内のいずれか２つ、或いは全てが混在していてもよく、前記防護柵用支柱１の下端面を設置面上に載置した際、前記刃部１２が設置面に差し込まれることにより、防護柵用支柱１の設置位置を所定の位置に位置決めすることができる様な刃部１２の形状であればよい。そしてより好適には、上述の、非傾斜側端部１４と傾斜側端部１５とにより、先細りに形成された刃部１２の形状であれば、設置場所Ｇに差し込む際の抵抗を少なくすることができ、好ましい。
【００１８】
また刃部１２は、上述の様に、円筒体からなる支柱本体１１の下端部を切欠いて形成しているため、図１（ハ）及び図２（ハ）に示すように、支柱本体１１の厚みと刃部１２の厚みとは、同一となされている。そして、その形成方法としては、特に限定されるものではないが、前記の如くレーザービームにより所定の形状に支柱本体１１の下端部を刃部１２を除いて切欠いてもよく、また所定の形状に対応した金型を製作し、プレス等で切欠いてもよい。
【００１９】
そして前記防護柵用支柱１を、前記支柱本体１１を下方に押圧しつつ前記非傾斜側端部１４の方向に回転、すなわち本形態においては、図１（ニ）における反時計回りαに回転させることにより、前記支柱本体１１の下端部を設置場所Ｇに回転埋設し、前記防護柵用支柱１を設置場所Ｇに設置する。
【００２０】
上記の如き構成とすることにより、前記支柱本体１１の下端より下方に突出した刃部１２を設置場所Ｇに押圧する際、設置場所Ｇに刃部１２を差し込み易いのに加え、設置場所Ｇに差し込んだ刃部１２を、非傾斜側端部１４の方向αに回転させて、前記非傾斜側端部１４で土砂をかき出すことができ、効率よく防護柵支柱１を埋設することができるとともに、支柱本体１１を設置場所Ｇの土砂を掘削しながら回転埋設させるので、騒音の発生を効果的に低減させて埋設することができ、さらには、傾斜面からなる傾斜側端部１５の方向に回転させるのに比べ、支柱本体１１を回転させた時に設置場所Ｇから刃部１２に上向きの反力がかかるのを防ぐことができる。
【００２１】
横ビーム２は、互いに隣接する側端部の接続部において、それぞれの横ビーム２の端部に挿入される略円管状の接続具２１を介して接続されたものである。本実施形態においては、横ビーム２は上下に３段取付けられているが、特にこれに限定されるものではなく、２段或いは４段にする等、必要に応じて適宜設定することができる。又、本実施形態における柵部材は横ビーム２となされているが、これに限定されるものではなく、上下の横ビーム２の間に、上下にパイプを配置した縦格子状のものでもよく、また鉄鋼製の細線をメッシュ状に溶接したパネルを配置したものでもよい。
【００２２】
ビーム支持具３は、支柱本体１１の側壁１１１に当接され固定される垂直板部３１と、横ビーム２を支える上板部３２、下板部３３とを備えている。ま垂直板部３１は、支柱本体１１の側壁１１１に当接されると共に、支柱本体１１を水平方向に貫通する貫通ボルトＢが貫通され、この貫通ボルトＢに螺合されたナットＮ１を締め付けることにより、支柱本体１１の側壁１１１に固定され、これによりビーム支持具３は防護柵用支柱１に取付けられる。
【００２３】
ビーム支持具３の上板部３２、下板部３３は、垂直板部３１の前面側の上端部及び下端部から前方に向けて突設され、横ビーム２を上下から挟んで支えるものである。本実施形態では、接続具２１により隣接する横ビーム２の両端部が間隔を開けて接続されたものであり、前記接続具２１において、外観に現出した箇所が上板部３２、下板部３３との間に配置され、上板部３２、接続具２１、及び下板部３３を上下方向に固定ボルトＣが貫通され、ナットＮ２を締め付けて、上板部３２、下板部３３との間で接続具２１を挟持するものである。そして、上板部３２、下板部３３の端部はそれぞれ内側に向けて曲折された湾曲部３４、３５が形成され、上板部３２、下板部３３及び湾曲部３４、３５により接続具２１が覆われ、意匠性を高めたものとなっている。尚、横ビーム２が上板部３２、下板部３３の間に直接挿入されて挟持される形態でもよい。
【００２４】
隣り合う防護柵用支柱１どうしの離間距離が比較的長い場合には、防護柵用支柱１と防護柵用支柱１との間に防護柵用支柱１Ａを設け、横ビーム２の中間部が防護柵用支柱１Ａに取付けたビーム支持具３Ａで支えられている。本実施形態のビーム支持具３Ａは、垂直板部３１の上部から水平方向に上板部３２が延設され、この上板部３２の端部を下方に曲折し、さらにその先端を前方に向けて円弧状に折り返して縦断面Ｊ字状に形成し、このＪ字状部に横ビーム２を載置し、横ビーム２とＪ字状部とを固定ボルトＣで連結したものである。
【００２５】
防護柵用支柱１は、横ビーム２を支えることを考慮すると金属製のものを用いるのが好ましく、一般にはアルミニウム、ステンレス、鉄鋼等のパイプ、形材からなる長尺体を適宜長さに切断したものや、それらにめっき、塗装を施したもの等を好適に用いることができる。
【００２６】
横ビーム２は、防護柵Ｐとしての必要な強度を考慮すると防護柵用支柱１と同様に金属製のものを用いるのが好ましく、一般にはアルミニウム、ステンレス、鉄鋼等のパイプ、形材からなる長尺体を適宜長さに切断したものや、それらにめっき、塗装を施したもの等を好適に用いることができる。
【００２７】
ビーム支持具３は、横ビーム２を支えることを考慮すると金属製のものを用いるのが好ましく、一般にはアルミニウム、ステンレス、鉄鋼等の金属板をプレス成形加工したものや、それらにめっき、塗装を施したもの等を好適に用いることができる。
【符号の説明】
【００２８】
１、１Ａ    防護柵用支柱
１１        支柱本体
１１１      側壁
１１２      貫通孔
１２        刃部
１３        支柱キャップ
１４        非傾斜側端部
１５        傾斜側端部
１６        延設部
２          横ビーム
２１        接続具
３、３Ａ    ビーム支持具
３１        垂直板部
３２        上板部
３３        下板部
３４、３５  湾曲部
Ｐ          防護柵
Ｂ          貫通ボルト
Ｃ          固定ボルト
Ｇ          設置場所
Ｎ１、Ｎ２  ナット
【図１】
2015163757.tif 000003
【図２】
2015163757.tif 000004
【図３】
2015163757.tif 000005
【図４】
2015163757.tif 000006
【図５】
2015163757.tif 000007
【図６】
2015163757.tif 000008
【図７】
2015163757.tif 000009